(57)【特許請求の範囲】
【請求項１】
第一の通信端末と、第二の通信端末と、前記第一の通信端末および前記第二の通信端末と通信可能な画像処理装置と、を備え、
前記第一の通信端末は、画像を取込む第一の撮影部と、第一の表示部と、第一の送受信部と、第一の処理指示を送出する第一の処理指示部と、を有し、
前記第二の通信端末は、画像を取込む第二の撮影部と、第二の表示部と、第三の送受信部と、第二の処理指示を送出する第二の処理指示部と、を有し、
前記画像処理装置は、
前記第一の送受信部および前記第三の送受信部との間で所定の情報を送受信可能な第二の送受信部と、
前記第一の撮影部が取込んだ第一の取込画像および前記第二の撮影部が取込んだ第二の取込画像から第一の編集画像を作成する第一の画像処理部と、
前記第一の通信端末から受信した第一の撮影指示に基づいて、前記第一の取込画像および前記第二の取込画像に前記第一の画像処理部における画像処理よりも複雑な画像処理を施して第二の編集画像を作成する第二の画像処理部と、
前記第二の処理指示に基づいて、前記第一の取込画像および前記第二の取込画像から、第三の編集画像を作成する第三の画像処理部と、
前記第二の通信端末から受信した第二の撮影指示に基づいて、前記第一の取込画像および前記第二の取込画像に前記第三の画像処理部における画像処理よりも複雑な画像処理を施して第四の編集画像を作成する第四の画像処理部と、
前記第一の処理指示を記録する処理条件記録部と、
を有し、
前記第一の処理指示部は、前記第一の表示部に前記第一の編集画像が表示されているときに受け付けた第一の処理指示を送出し、
前記処理条件記録部は、前記送出される第一の処理指示に基づき、前記記録した前記第一の処理指示を更新し、
前記第一の画像処理部は、前記処理条件記録部に記録された第一の処理指示に基づいて、前記第一の編集画像を作成し、
前記第二の画像処理部は、前記処理条件記録部に記録された第一の処理指示に基づいて、前記第二の編集画像を作成し、
前記第一の表示部は、前記第一の編集画像と前記第二の編集画像を表示し、
前記第二の表示部は、前記第三の編集画像及び前記第四の編集画像を表示する
ことを特徴とする、画像処理システム。
【請求項２】
第一の通信端末から第一の取込画像を受信する工程と、
第二の通信端末から第二の取込画像を受信する工程と、
前記第一の取込画像および前記第二の取込画像から第一の編集画像を作成する第一の画像処理工程と、
前記第一の通信端末から受信した第一の撮影指示に基づいて、前記第一の取込画像および前記第二の取込画像に前記第一の画像処理工程における画像処理よりも複雑な画像処理を施して第二の編集画像を作成する第二の画像処理工程と、
前記第二の通信端末から受信した第二の処理指示に基づいて、前記第一の取込画像および前記第二の取込画像から第三の編集画像を作成する第三の画像処理工程と、
前記第二の通信端末から受信した第二の撮影指示に基づいて、前記第一の取込画像および前記第二の取込画像に前記第三の画像処理工程における画像処理よりも複雑な画像処理を施して第四の編集画像を作成する第四の画像処理工程と、
第一の処理指示を記録する処理条件記録工程と、
前記第一の編集画像と前記第二の編集画像とを前記第一の通信端末へ、前記第三の編集画像と前記第四の編集画像とを前記第二の通信端末へ、送信する工程と、
を備え、
前記受信する工程においては、前記送信した第一の編集画像についての前記第一の処理指示を前記第一の通信端末から受信し、
前記処理条件記録工程においては、前記第一の処理指示を受信した場合、前記記録した前記第一の処理指示を更新し、
前記第一の画像処理工程においては、前記記録された第一の処理指示に基づいて、前記第一の編集画像を作成し、
前記第二の画像処理工程においては、前記記録された第一の処理指示に基づいて、前記第二の編集画像を作成する
ことを特徴とする、画像処理方法。
【発明の詳細な説明】
【技術分野】
【０００１】
本発明は、端末が取り込んだ画像を処理する画像処理装置、画像処理システム、画像処理方法及び画像処理プログラムに関する。
【背景技術】
【０００２】
近年、画像を撮影可能な端末、例えばカメラ機能付き携帯端末が普及している。このような端末が普及する中で、端末が取込んだ画像から、より複雑な画像処理を施した画像を作成したいというニーズが高まっている。
【０００３】
しかし、携帯端末などの端末内部で、全ての画像処理を行おうとした場合、端末の大型化を招いてしまう。そこで、端末の外部に設置された画像処理装置において画像処理を実行することが考えられる。
【０００４】
このような画像処理システムに関連する技術が、例えば特許文献１に記載されている。
【０００５】
特許文献１においては、２つのビデオカメラから取込まれた画像を、ビデオカメラの外部に設置された合成画像作成装置にて合成する。そして、合成された画像は、モニタに配信される。
【先行技術文献】
【特許文献】
【０００６】
【特許文献１】特開２００３−２０９８２１号公報
【発明の概要】
【発明が解決しようとする課題】
【０００７】
しかしながら、特許文献１における合成画像作成装置は、ビデオカメラから取込まれた画像に対して、常に同じ画像合成処理を行っている。そのため、ビデオカメラから取込まれる画像のうち、特定の画像のみに異なる画像合成処理を施すことはできない。例えば、特定の画像のみを静止画として保存するために、該特定の画像のみに、色調補正や逆光補正などの複雑な画像処理を施したい場合に対応することができない。
【０００８】
一方で、全ての画像にこのような複雑な画像処理を施した場合、合成画像作成装置における画像合成に時間がかかり、ビデオカメラが画像を取込んでから合成画像がモニタに表示されるまでの時間が長くなってしまう。
【０００９】
本発明は、このような問題に鑑み、画像の取込みを行う端末を大型化することなく、ユーザの所望の画像を効率的に取得することが可能な画像処理装置、画像処理システム、画像処理方法及び画像処理プログラムを提供することを目的とする。
【課題を解決するための手段】
【００１０】
本発明の画像処理システムは、第一の通信端末と、第一の通信端末と通信可能な画像処理装置と、を備え、第一の通信端末は、画像を取込む第一の撮影部と、第一の表示部と、第一の送受信部と、を有し、画像処理装置は、第一の送受信部との間で所定の情報を送受信可能な第二の送受信部と、第一の撮影部が取込んだ第一の取込画像から第一の編集画像を作成する第一の画像処理部と、第一の撮影指示に基づいて、第一の取込画像から第二の編集画像を作成する第二の画像処理部と、を有し、第一の表示部は、第一の編集画像と第二の編集画像を表示する。
【００１１】
本発明の画像処理装置は、第一の通信端末と通信可能であり、第一の通信端末と所定の情報を送受信する送受信部と、第一の通信端末から受信した第一の取込画像から、第一の編集画像を作成する第一の画像処理部と、第一の撮影指示に基づいて、第一の取込画像から第二の編集画像を作成する第二の画像処理部と、を備え、送受信部は、第一の編集画像と第二の編集画像とを送信する。
【００１２】
本発明の画像処理方法は、第一の通信端末から第一の取込画像を受信する工程と、第一の取込画像から第一の編集画像を作成する第一の画像処理工程と、第一の撮影指示に基づいて、第一の取込画像から第二の編集画像を作成する第二の画像処理工程と、第一の編集画像と第二の編集画像とを送信する工程と、を備える。
【００１３】
本発明の画像処理プログラムは、第一の通信端末から第一の取込画像を受信する工程と、第一の取込画像から第一の編集画像を作成する第一の画像処理工程と、第一の撮影指示に基づいて、第一の取込画像から第二の編集画像を作成する第二の画像処理工程と、第一の編集画像と第二の編集画像とを送信する工程と、をコンピュータに実行させる。
【００１４】
本発明の記録媒体は、本発明における画像処理プログラムを記録する。
【発明の効果】
【００１５】
本発明における画像処理装置、画像処理システム、画像処理方法及び画像処理プログラムにより、画像の取込みを行う端末を大型化することなく、ユーザの所望の画像を効率的に取得することが可能となる。
【図面の簡単な説明】
【００１６】
【図１】本発明の第１の実施形態における画像処理システムの構成の一例を示す。
【図２】本発明の第１の実施形態における通信端末及び画像処理装置の構成の一例を示す。
【図３】本発明の第１の実施形態における画像処理システムの動作の一例を示す。
【図４】本発明の第２の実施形態における画像処理システムの構成の一例を示す。
【図５】本発明の第３の実施形態における画像処理システムの構成の一例を示す。
【図６】本発明の第４の実施形態における画像処理システムの構成の一例を示す。
【図７】本発明の第４の実施形態における画像処理システムの用途の一例を示す。
【図８】本発明の第５の実施形態における画像処理システムの構成の一例を示す。
【発明を実施するための形態】
【００１７】
本発明の実施の形態について図面を参照しながら説明する。しかしながら、係る形態は本発明の技術的範囲を限定するものではない。
【００１８】
［第１の実施形態］
本発明の第１の実施形態における画像処理システムの構成について、図１を用いて説明する。
【００１９】
本実施形態における画像処理システム１００は、通信端末１０と、画像処理装置２０と、を備える。
【００２０】
通信端末１０は、撮影部１１と、表示部１２と、送受信部１３と、を有する。撮影部１１は、画像の取込みを行う。
【００２１】
画像処理装置２０は、送受信部２１と、第一の画像処理部２２と、第二の画像処理部２３と、を有する。送受信部２１は、送受信部１３との間で、所定の情報を通信可能である。送受信部２１と送受信部１３とで送受信される所定の情報とは、取込画像や、編集画像などである。第一の画像処理部２２は、撮影部１１により取り込まれた取込画像から、編集画像（以下、第一の編集画像とする）を作成する。第二の画像処理部２３は、撮影指示に基づいて、取込画像から編集画像（以下、第二の編集画像とする）を作成する。そして、通信端末１０の表示部１２は、第一の編集画像及び第二の編集画像を表示する。
【００２２】
次に、本実施形態における画像処理システム１００の動作について、図３を用いて説明する。
【００２３】
初めに、撮影部１１が、画像の取込みを開始する（ステップ１）。撮影部１１による画像の取込みは、通信端末１０の起動時に自動で開始することとしても良い。あるいは、撮影部１１が画像の取込みを開始するための入力キーを設けることとしても良い。
【００２４】
送受信部１３は、撮影部１１が取込んだ取込画像を画像処理装置２０に送信する。送受信部１３は、取込画像の画像圧縮処理を行った上で、取込画像の送信を実行することとしても良い。
【００２５】
画像処理装置２０の送受信部２１は、送受信部１３から送信された取込画像を受信する。
【００２６】
第一の画像処理部２２は、送受信部２１が受信した取込画像から、第一の編集画像を作成する（ステップ３）。第一の画像処理部２２で行う画像処理は、色調補正や逆光補正などの複雑な画像処理は行なわず、画像のレイアウトが分かる程度の画像処理に留めることとしても良い。また、第一の編集画像は、例えば、第２の実施形態で述べるように、取込画像と、画像処理装置２０が記録する画像データとの合成画像としても良い。あるいは、第３の実施形態で述べるように、取込画像と、他の通信端末が取込んだ画像との合成画像としても良い。なお、この時点では、撮影指示は発生していないこととする（ステップ２において「なし」）。
【００２７】
そして、送受信部２１は、第一の画像処理部２２が作成した第一の編集画像を、通信端末１０に送信する。
【００２８】
通信端末１０の送受信部１３は、送受信部２１から送信された第一の編集画像を受信する。そして、表示部１２は、送受信部１３が受信した第一の編集画像を表示する（ステップ４）。この時、通信端末１０のユーザは例えば、第一の編集画像を確認しながら、撮影部１１のアングル等を調整することができる。そして、例えば、ユーザの所望の編集画像となった時点で、次に述べる撮影指示を発生させることができる。
【００２９】
次に、撮影部１１が画像の取込みを実行している際に、撮影指示が発生した場合について述べる。なお、本実施形態における撮影指示は、図２（ａ）に示すように、通信端末１０が更に備える撮影指示部１４から送出されることとする。この場合、撮影指示は例えば、通信端末１０のユーザがシャッターボタンを押すこと等によって発生する。
【００３０】
撮影指示部１４から撮影指示が送出されると、送受信部２１は、送受信部１３を介して該撮影指示を受信する（ステップ２において「あり」）。この場合、第二の画像処理部２３は、送受信部２１で受信した取込画像から第二の編集画像を作成する（ステップ５）。なお、第二の画像処理部２３で行う画像処理は、第一の画像処理部２２で行う画像処理と異なり、色調補正や逆光補正、美肌補正などの複雑な画像処理も含めることとしても良い。
【００３１】
そして、送受信部２１は、第二の画像処理部２３が作成した第二の編集画像を送信する。
【００３２】
通信端末１０の送受信部１３は、送受信部２１から送信された第二の編集画像を受信する。表示部１２は、送受信部１３が受信した第二の編集画像を表示する（ステップ６）。
【００３３】
ここで、第二の編集画像は、通信端末１０のユーザのユーザ操作に基づいて、通信端末１０の記録部に記録されることとしても良い。あるいは、ユーザ操作に拠らず、自動的に、第二の編集画像が通信端末１０の記録部に記録されるよう設定されることとしても良い。
【００３４】
以上のように、本実施形態における通信端末１０は、通信端末１０の内部で画像処理を行わなくとも、取込んだ画像の編集画像を取得することが可能となる。そのため、画像の処理を実行するために通信端末１０を大型化させる必要はなくなる。
【００３５】
また、本実施形態においては、第一の画像処理部２２と第二の画像処理部２３を設けており、撮影指示が発生した場合に、第二の画像処理部２３にて画像処理を行うこととした。そのため、例えば撮影指示が発生した時にのみ、すなわち第二の編集画像を作成する場合にのみ、色調補正などの複雑な画像処理を実行させることができる。あるいは、第一の編集画像を作成する場合には簡単な色調変換だけをすることとして、第二の編集画像を作成する場合には複雑で高度な色調変換を行うこともできる。あるいは、ユーザが、鏡を使った自分撮りをする場合に、第一の編集画像を作成する場合には取込画像を左右反転させる処理だけを実行することとし、第二の編集画像を作成する場合には、それに加えて色調補正等の画像処理も行うこととしても良い。
【００３６】
このような場合、画像処理装置２０は、第一の編集画像を作成する場合には複雑な画像処理を行う必要がなくなる。これにより、撮影部１１が画像を取込んでから表示部１２に第一の編集画像が表示されるまでの時間を短くすることができる。また、ユーザは、表示された第一の編集画像を確認しながら被写体のポーズや画角を調整した上で、撮影指示を発生させ、第二の編集画像を取得することができる。そのため、ユーザは、自身が所望するベストショットを撮影することができる。
【００３７】
すなわち、本実施形態にいては、通信端末１０を大型化させなくとも、通信端末１０のユーザの所望の画像を効率的に取得することが可能となる。
【００３８】
なお、本実施形態においては、画像圧縮処理を除く画像処理に関しては、画像処理装置が全て行うこととしたが、これに限らない。すなわち、画像処理の一部は、通信端末１０が行うこととしても良い。但し、通信端末１０が実行する画像処理を増やし過ぎると、上述したように、通信端末１０の大型化や容量増大を招く。そのため、通信端末１０が実行する画像処理は、処理工数の少ない画像処理に留めることが望ましい。
【００３９】
なお、本実施形態においては、通信端末１０が撮影指示部１４を備えることとしたが、これに限らない。すなわち、図２（ｂ）に示すように、画像処理装置２０が撮影指示部２４を備えることとしても良い。この場合、画像処理装置２０の撮影指示部２４は、通信端末１０から受信した取込画像が所定の条件を満たした場合に、撮影指示を発生することとしても良い。所定の条件とは、例えば、取込画像に写っている被写体の顔が笑顔になったこと検出したことである。これにより、通信端末１０のユーザ自身は、シャッターボタンを押下する等の操作をする必要がなくなる。
【００４０】
［第２の実施形態］
次に、本発明の第２の実施形態における画像処理システムについて図４を用いて説明する。
【００４１】
本実施形態における画像処理システム２００は、通信端末３０と、通信端末３０と通信可能な画像処理装置４０と、を備える。
【００４２】
通信端末３０は、図２（ａ）に示す通信端末１０の構成に加えて、処理指示部３１を有する。
【００４３】
画像処理装置４０は、第１の実施形態における画像処理装置２０の構成に加えて、画像データ記録部４１と、処理条件記録部４２と、を備える。画像データ記録部４１は、画像データを記録する。処理条件記録部４２は、画像の処理条件を記録する。また、処理条件記録部４２に記録される処理条件は、処理指示部３１から送出される処理指示に基づいて更新される。
【００４４】
次に、本実施形態における画像処理システム２００の動作について説明する。
【００４５】
初めに、撮影部１１が画像の取込みを開始する。送受信部１３は、撮影部１１が取込んだ取込画像を、順次、画像処理装置４０に送信する。ここで、送受信部１３は、取込画像の画像圧縮処理を行った上で、取込画像の送信を実行することとしても良い。
【００４６】
送受信部２１は、送受信部１３から送信された取込画像を受信する。
【００４７】
第一の画像処理部２２は、送受信部２１が受信した取込画像と、画像データ記録部４１に記録された画像データとから、第一の編集画像を順次作成する。この時、第一の画像処理部２２は、処理条件記録部４２に記録された処理条件に基づいて、画像処理を行う。また、画像データ記録部４１に記録された画像データとは、例えば、背景となる景色の画像データである。第一の画像処理部２２で行う画像処理は、例えば、取込画像から人物のみを検出して抜き出し、背景となる画像データに重ねる処理や、画像のサイズ調整である。但し、第一の画像処理部２２で行う画像処理においては、色調補正や逆光補正、肌色補正などの複雑な画像補正処理は行なわず、画像のレイアウトが分かるために必要な画像処理に留めることとしても良い。なお、この時点では、撮影指示部１４から撮影指示は送出されていないこととする。
【００４８】
送受信部２１は、第一の画像処理部２２で作成された第一の編集画像を送信する。
【００４９】
通信端末３０の送受信部１３は、送受信部２１から送信された第一の編集画像を受信する。そして、表示部１２は、送受信部１３が受信した第一の編集画像を表示する。なお、送受信部１３は、第一の画像処理部２２が作成した第一の編集画像を順次受信しており、表示部１２は、送受信部１３が受信した第一の編集画像のうち、最新の第一の編集画像を表示する。
【００５０】
ここで、通信端末３０のユーザは、処理指示部３１を介して、表示部１２に表示された第一の編集画像を見て処理指示を入力することができる。処理指示とは、例えば、取込画像と合成する画像データの変更や、取込画像の配置や大きさの変更等の指示である。
【００５１】
処理指示は、例えば、通信端末３０が有する入力キーや、表示部１２に表示されたアイコンが操作されることによって送出されることとしても良い。
【００５２】
処理指示部３１から発生した処理指示は、送受信部２１、送受信部１３を介して、処理条件記録部４２に送信される。そして、処理条件記録部４２は、受信した処理指示に基づいて、処理条件を更新する。
【００５３】
処理条件記録部４２に記録された処理条件が更新されると、第一の画像処理部２２は、更新された処理条件に基づいて、受信した取込画像の画像処理を行い、第一の編集画像を作成する。すなわち、第一の画像処理部２２は、処理指示部３１から送信される処理指示に基づいて、第一の編集画像を作成することになる。但し、処理指示において指示された画像処理のうち、画像のレイアウト等とは関係のない、色調補正や逆光補正などの複雑な画像補正処理については、第一の画像処理部２２では行わないこととしても良い。
【００５４】
通信端末３０のユーザは、処理指示を入力した後に表示された第一の編集画像を確認しながら、更に新たな処理指示を入力することができる。すなわち、通信端末３０のユーザは、表示部１２に表示された第一の編集画像を確認しながら、どのような編集画像とするか調整することが可能となる。そして、例えば、ユーザの所望の編集画像となった時点で、次に述べる撮影指示を発生させることができる。
【００５５】
次に、撮影部１１が画像の取込みを行っている際に、通信端末３０の撮影指示部１４から撮影指示が送出された場合について述べる。なお、撮影指示は、例えば、通信端末３０のユーザがシャッターボタンを押すこと等によって発生する。
【００５６】
送受信部２１が撮影指示を受信すると、第二の画像処理部２３は、送受信部２１が受信した取込画像から、第二の編集画像を作成する。この時、第二の画像処理部２３は、撮影指示と同時に、あるいはその直後に送受信部２１が受信した取込画像から、第二の編集画像を作成することとしても良い。あるいは、撮影指示を受信した直前に送受信部２１が受信した取込画像から、第二の編集画像を作成することとしても良い。
【００５７】
そして、第二の画像処理部２３は、送受信部２１が受信した取込画像と、画像データ記録部４１に記録された画像データとから、第二の編集画像を作成する。この時、第二の画像処理部２３は、処理条件記録部４２に記録された処理条件に基づいて、第二の編集画像を作成する。なお、処理条件記録部４２に記録された処理条件は、処理指示部３１から送出された処理指示に基づいて更新されている。すなわち、第二の画像処理部２３は、処理指示部３１から送出された処理指示に基づいて、画像処理を行うこととなる。ここで、第二の画像処理部２３は、第一の画像処理部２２よりも複雑な画像処理を行うこととする。例えば、第二の画像処理部２３は、処理指示で指示された画像処理のうち、画像のレイアウト等とは関係のない、色調補正や逆光補正などの複雑な画像補正処理についても、行うこととしても良い。
【００５８】
そして、送受信部２１は、第二の画像処理部２３が作成した第二の編集画像を送信する。
【００５９】
通信端末３０の送受信部１３は、送受信部２１から送信された第二の編集画像を受信する。そして、表示部１２は、送受信部１３が受信した第二の編集画像を表示する。
【００６０】
なお、第二の編集画像は、通信端末３０のユーザのユーザ操作に基づいて、通信端末３０の記録部に記録されることとしても良い。あるいは、ユーザ操作に拠らず、自動的に、第二の編集画像が通信端末３０の記録部に記録されることとしても良い。
【００６１】
以上のように、本実施形態においては、通信端末３０に処理指示部３１を設けることとした。そのため、通信端末３０のユーザは、処理指示部３１を介して、画像の処理指示を入力することが可能となる。これにより、通信端末３０のユーザは、自分の好みに合った編集画像に調整することができる。そして、通信端末３０のユーザは、第一の編集画像を確認しながら撮影部１１のアングル等を調整した後に撮影指示を入力することによって、ユーザの所望の編集画像を取得することが可能となる。
【００６２】
また、本実施形態においては、画像処理装置４０の記録部３１が、画像処理に用いる画像データを記録することとした。そのため、通信端末３０に、画像処理に用いる画像データを記録させておく必要がなくなる。これにより、通信端末３０の容量削減、小型化が可能となる。
【００６３】
なお、本実施形態においては、第一の画像処理部２２と第二の画像処理部２３との外部に処理条件記録部４２を設けることとしたが、これに限らない。すなわち、第一の画像処理部２２と第二の画像処理部２３とがそれぞれ、内部に処理条件を記録する記録部を備えることとしても良い。
【００６４】
また、本実施形態においては、撮影部１１が画像の取込みを開始した後に、処理指示部３１から処理指示が送出されることとしたが、これに限らない。すなわち、処理指示部３１は、撮影部１１が画像の取込みを開始する前に、何らかの処理指示を予め送出しておくこととしても良い。この場合、処理条件記録部４２に記録された処理条件は、撮影部１１が画像の取込みを開始する前に更新される。そして、撮影部１１による画像の取込みが開始すると、第一の画像処理部２２及び第二の画像処理部２３は、更新された最新の処理条件に従って、画像処理を実行する。すなわち、この場合にも、第一の画像処理部２２及び第二の画像処理部２３は、処理指示部３１から送信された処理指示に基づいて、画像処理を実行することとなる。
【００６５】
［第３の実施形態］
次に、本発明の第３の実施形態における画像処理システムについて図５を用いて説明する。
【００６６】
本実施形態における画像処理システム３００は、通信端末１０と、画像処理装置２０と、通信端末５０と、を備える。通信端末１０は、図２（ａ）に示す通信端末１０と同様の構成を備える。画像処理装置２０は、図１に示す画像処理装置２０と同様の構成を備える。
【００６７】
通信端末５０は、撮影部５１と、送受信部５２と、表示部５３と、を有する。撮影部５１は、画像を取込む。送受信部５２は、画像処理装置２０の送受信部２１との間で所定の情報を送受信可能である。送受信部５２と送受信部２１との間で送受信可能な所定の情報とは、取込画像や編集画像である。表示部５３は、送受信部５２が受信した編集画像を表示する。
【００６８】
次に、本実施形態における画像処理システム３００の動作について述べる。
【００６９】
初めに、撮影部１１と撮影部５１がそれぞれ、画像の取込みを開始する。以下、撮影部１１が取込んだ取込画像を第一の取込画像と呼ぶ。また、撮影部５１が取込んだ取込画像を第二の取込画像と呼ぶ。
【００７０】
第一の取込画像は、送受信部１３によって画像処理装置２０に送信される。一方、第二の取込画像は、送受信部５２によって画像処理装置２０に送信される。なお、送受信部１３及び送受信部５２はそれぞれ、取込画像の画像圧縮処理を行った上で、取込画像の送信を実行することとしても良い。
【００７１】
画像処理装置２０の送受信部２１は、第一の取込画像と、第二の取込画像とを受信する。
【００７２】
第一の画像処理部２２は、送受信部２１が受信した第一の取込画像と第二の取込画像とから、第一の編集画像を作成する。ここで、第一の画像処理部２２で行う画像処理は、第１の実施形態と同様、色調補正や逆光補正などの複雑な画像補正処理は行なわず、画像のレイアウトが分かるために必要な画像処理に留めることとしても良い。なお、この時点では、撮影指示部１４から撮影指示は送出されていないこととする。
【００７３】
そして、送受信部２１は、第一の画像処理部２２で作成された第一の編集画像を、通信端末１０及び通信端末５０に送信する。
【００７４】
通信端末１０の送受信部１３及び通信端末５０の送受信部５２はそれぞれ、送受信部２１から送信された第一の編集画像を受信する。そして、表示部１２及び表示部５３はそれぞれ、送受信部１３及び送受信部５２が受信した第一の編集画像を表示する。
【００７５】
次に、撮影部１１及び撮影部５１がそれぞれ、画像の取込みを実行している際に、撮影指示部１４から撮影指示が発生した場合について述べる。なお、撮影指示は、例えば、通信端末１０のユーザがシャッターボタンを押すこと等によって発生する。
【００７６】
撮影指示部１４から撮影指示が送出されると、送受信部２１は、送受信部１３を介して該撮影指示を受信する。この場合、第二の画像処理部２３は、送受信部１３で受信した第一の取込画像と第二の取込画像とから、第二の編集画像を作成する。なお、第二の画像処理部２３は、第一の画像処理部２２よりも複雑な画像処理を行うこととする。例えば、第二の画像処理部２３で行う画像処理は、第一の画像処理部２２で行う画像処理と異なり、色調補正や逆光補正などの複雑な画像処理も含めることとしても良い。
【００７７】
そして、送受信部２１は、第二の画像処理部２３が作成した第二の編集画像を送信する。
【００７８】
通信端末１０の送受信部１３及び通信端末５０の送受信部５２はそれぞれ、送受信部２１から送信された第二の編集画像を受信する。そして、表示部１２及び表示部５３はそれぞれ、送受信部１３が受信した第二の編集画像を表示する。
【００７９】
なお、第二の編集画像は、通信端末１０のユーザのユーザ操作に基づいて、通信端末１０の記録部に記録されることとしても良い。
【００８０】
以上のように、本実施形態においては、画像処理装置２０が、通信端末１０及び通信端末５０がそれぞれ取込んだ画像の編集画像を作成する。そのため、通信端末１０が通信端末５０と遠隔地にあったとしても、通信端末１０のユーザは、通信端末５０が取込んだ画像を含む編集画像を取得することが可能となる。
【００８１】
なお、通信端末５０は、表示部５３を有することとしたが、これに限らない。すなわち、通信端末５０は、画像を取込み、取込んだ画像を画像処理装置に送信するためだけに設置することとしても良い。
【００８２】
また、画像処理装置２０は、通信端末１０と通信端末５０の間の、音声通信の中継器としての機能を備えることとしても良い。そして、撮影部１１と撮影部５１とによる画像の取込みは、通信端末１０と通信端末５０との音声通信と同時に実行されることとしても良い。これにより、通信端末１０のユーザと通信端末５０のユーザは、通話をしながら、それぞれ編集画像を見ることが可能となる。そして、例えば、一方のユーザが他方のユーザに対して、被写体に対する要望を伝えて、所望の編集画像となるよう調整することができる。
【００８３】
また、本実施形態においても、第２の実施形態と同様、通信端末１０に処理指示部を設けることとしても良い。そして、第一の画像処理部２２及び第二の画像処理部２３は、処理指示部から送出された処理指示に基づいて、画像処理を実行することとしても良い。これにより、通信端末１０のユーザは、第一の編集画像を、自分の好みに合った編集画像に調整することができる。
【００８４】
更に、本実施形態においては、通信端末５０に処理指示部を設けることとしても良い。そして、第一の画像処理部２２と第二の画像処理部２３は、通信端末５０から送出された処理指示に基づいて、画像処理を行うこととしても良い。あるいは、通信端末１０と通信端末５０の両方に、処理指示部を設けることとしても良い。
【００８５】
また、本実施形態においても、第２の実施形態と同様、画像データを記録する記録部を設けることとしても良い。そして、第一の画像処理部２２及び第二の画像処理部２３はそれぞれ、第一の取込画像と、第二の取込画像と、画像処理装置の記録部に記録された画像データと、の合成画像を作成することとしても良い。
【００８６】
また、本実施形態においては、２つの通信端末から送信された取込画像を合成することとしたが、これに限らない。すなわち、３つ以上の通信端末のそれぞれから送信された取込画像を合成するように構成しても良い。
【００８７】
［第４の実施形態］
次に、本発明の第４の実施形態における画像処理システムについて図６を用いて説明する。
【００８８】
本実施形態における画像処理システム４００は、通信端末６０１と、通信端末６０２と、画像処理装置７０と、を備える。
【００８９】
通信端末６０１、６０２はそれぞれ、撮影部６１１、６１２と、撮影指示部６２１、６２２と、表示部６３１、６３２と、送受信部６４１、６４２と、処理指示部６５１、６５２と、を有する。撮影部６１１、６１２は、画像の取込みを行う。撮影指示部６２１、６２２は、撮影指示を送出する。送受信部６４１、６４２は、撮影部６１１、６１２が取込んだ取込画像と、撮影指示部６２１、６２２から送出された撮影指示を送信する。表示部６３１、６３２は、送受信部６４１、６４２が受信する編集画像を表示する。処理指示部６５１、６５２は、処理指示を送出する。
【００９０】
画像処理装置７０は、送受信部７１と、第一の画像処理部７２と、第二の画像処理部７３と、第三の画像処理部７４と、第四の画像処理部７５と、第一の処理条件記録部７６と、第二の処理条件記録部７７と、を有する。送受信部７１は、送受信部６４１、６４２のそれぞれとの間で所定の情報を送受信可能である。
【００９１】
第一の画像処理部７２は、送受信部７１が受信した取込画像から、第一の編集画像を作成する。第二の画像処理部７３は、送受信部７１が撮影指示部６２１からの撮影指示を受信した場合に、取込画像から第二の編集画像を作成する。また、第一の画像処理部７２と第二の画像処理部７３は、第一の処理条件記録部７６に記録された処理条件に従って、画像処理を行う。なお、第一の処理条件記録部７６に記録された処理条件は、処理指示部６５１から送出される処理指示に基づいて更新される。そのため、第一の画像処理部７２と第二の画像処理部７３は、処理指示部６５１から送出された処理指示に基づいて画像処理を行うこととなる。
【００９２】
第三の画像処理部７４は、送受信部７１が受信した取込画像から、第三の編集画像を作成する。第四の画像処理部７５は、送受信部７１が撮影指示部６２２からの撮影指示を受信した場合に、取込画像から第四の編集画像を作成する。また、第三の画像処理部７４と第四の画像処理部７５は、第二の処理条件記録部７７に記録された処理条件に従って、画像処理を行う。なお、第二の処理条件記録部７７に記録された処理条件は、処理指示部６５２から送出される処理指示に基づいて更新される。そのため、第三の画像処理部７４と第四の画像処理部７５は、処理指示部６５２から送出された処理指示に従って、画像処理を行うこととなる。
【００９３】
次に、本実施形態における画像処理システム４００の動作について説明する。
【００９４】
初めに、撮影部６１１と撮影部６１２はそれぞれ、画像の取込みを開始する。ここで、撮影部６１１が取込んだ取込画像を第一の取込画像とし、撮影部６１２が取込んだ取込画像を第二の取込画像とする。
【００９５】
次に、送受信部６４１は第一の取込画像を送信し、送受信部６４２は第二の取込画像を送信する。送受信部６４１、６４２はそれぞれ、取込画像の画像圧縮処理を行った上で、取込画像の送信を実行することとしても良い。
【００９６】
画像処理装置７０の送受信部７１は、送受信部６４１、６４２から送信された第一の取込画像及び第二の取込画像を受信する。
【００９７】
そして、第一の画像処理部７２は、第一の取込画像及び第二の取込画像から、第一の編集画像を作成する。なお、第一の画像処理部７２は、第一の処理条件記録部７６に記録された処理条件に基づいて、画像処理を行う。
【００９８】
一方、第三の画像処理部７４も、第一の取込画像及び第二の取込画像から、第三の編集画像を作成する。なお、第三の画像処理部７４は、第二の処理条件記録部７７に記録された処理条件に基づいて、画像処理を行う。
【００９９】
ここで、第一の画像処理部７２及び第三の画像処理部７４で行う画像処理は、例えば、一方の取込画像から人物のみを検出して抜き出し、他方の取込画像に重ねる処理や、画像のサイズ調整である。但し、色調補正や逆光補正などの複雑な画像処理は含めず、画像のレイアウトが分かる程度の画像処理のみを含めることとしても良い。なお、この時点では、撮影指示部６２１、６２２のいずれからも、撮影指示は送出されていないこととする。
【０１００】
そして、送受信部７１は、第一の画像処理部７２が作成した第一の編集画像を、通信端末６０１に対して送信する。また、送受信部７１、第三の画像処理部７４が作成した第三の編集画像を、通信端末６０２に対して送信する。
【０１０１】
通信端末６０１の送受信部６４１は、送受信部７１から送信された第一の編集画像を受信する。そして、表示部６３１は、送受信部６４１が受信した第一の編集画像を表示する。一方、通信端末６０２の送受信部６４２は、送受信部７１から送信された第三の編集画像を受信する。そして、表示部６３２は、送受信部６４２が受信した第三の編集画像を表示する。
【０１０２】
ここで、通信端末６０１のユーザは、処理指示部６５１を介して、表示部６３１に表示された第一の編集画像を調整するために、処理指示を入力することができる。処理指示とは、例えば、第一の取込画像と第二の取込画像の大きさや配置の変更等の指示である。また、編集画像の背景として、第一の取込画像と第二の取込画像のいずれの背景を用いるかを選択する指示も含まれるとしても良い。ここで、処理指示部６５１から送出される処理指示は、第一の処理指示とする。
【０１０３】
第一の処理指示は、例えば、通信端末６０１が有する入力キーや、表示部６３１に表示されたアイコンが操作されることで送出されることとしても良い。
【０１０４】
処理指示部６５１から発生した第一の処理指示は、送受信部６４１、送受信部７１を介して、第一の処理条件記録部７６に送信される。そして、第一の処理条件記録部７６は、受信した第一の処理指示に基づいて、処理条件を更新する。
【０１０５】
第一の処理条件記録部７６の処理条件が更新されると、第一の画像処理部７２は、更新された処理条件に基づいて、受信した取込画像の画像処理を行い、第一の編集画像を作成する。すなわち、第一の画像処理部７２は、処理指示部６５１から送出された第一の処理指示に基づいて、受信した取込画像の画像処理を行い、第一の編集画像を作成する。
【０１０６】
通信端末６０１のユーザは、第一の処理指示を入力した後に表示された第一の編集画像を観察しながら、更に新たな処理指示を入力することもできる。すなわち、通信端末６０１のユーザは、表示部６３１に表示された第一の編集画像を確認しながら、どのような編集画像とするか調整することが可能となる。
【０１０７】
一方、通信端末６０２のユーザは、処理指示部６５２を介して、表示部６３２に表示された第三の編集画像を調整するために、処理指示を入力することができる。処理指示部６５２から送出される処理指示は、第二の処理指示とする。
【０１０８】
処理指示部６５２から発生した第二の処理指示は、送受信部６４２、送受信部７１を介して、第二の処理条件記録部７７に送信される。そして、第二の処理条件記録部７７は、受信した第二の処理指示に基づいて、処理条件を更新する。
【０１０９】
第二の処理条件記録部７７の処理条件が更新されると、第三の画像処理部７４は、更新された処理条件に基づいて、受信した取込画像の画像処理を行い、第三の編集画像を作成する。すなわち、第三の画像処理部７４は、処理指示部６５２から送出された第二の処理指示に基づいて、受信した取込画像の画像処理を行い、第三の編集画像を作成する。
【０１１０】
通信端末６０２のユーザは、第二の処理指示を入力した後に表示された第三の編集画像を観察しながら、更に新たな処理指示を入力することもできる。すなわち、通信端末６０２のユーザは、表示部６３２に表示された第三の編集画像を確認しながら、どのような編集画像とするか調整することが可能となる。
【０１１１】
次に、撮影部６１１、６１２がそれぞれ画像の取込みを実行している際に、通信端末６０１の撮影指示部６２１から、撮影指示が送出された場合について述べる。
【０１１２】
撮影指示部６２１から撮影指示が送出されると、送受信部７１は、送受信部６４１を介して該撮影指示を受信する。この場合、第二の画像処理部７３は、送受信部７１で受信した第一の取込画像と第二の取込画像とから、第二の編集画像を作成する。なお、第二の画像処理部７３は、第一の画像処理部７２よりも複雑な画像処理を行うこととする。例えば、第二の画像処理部７３で行う画像処理には、第一の画像処理部７２で行う画像処理と異なり、色調補正や逆光補正などの複雑な画像処理も含めることとしても良い。
【０１１３】
送受信部７１は、第二の画像処理部７３が作成した第二の編集画像を送信する。
【０１１４】
そして、通信端末６０１の表示部６３１は、送受信部６４１が受信した第二の編集画像を表示する。なお、第二の編集画像は、通信端末６０１のユーザの操作に基づいて、通信端末６０１の記録部に記録されることとしても良い。
【０１１５】
また、第二の編集画像は、通信端末６０２にも送信されることとしても良い。この場合、通信端末６０２の表示部６３２は、第三の編集画像を表示する状態から、一時的に、第二の編集画像を表示する状態に変わることとしても良い。
【０１１６】
次に、撮影部６１１、６１２がそれぞれ画像の取込みを実行している際に、通信端末６０２の撮影指示部６２２から、撮影指示が送出された場合について述べる。
【０１１７】
撮影指示部６２２から撮影指示が送出されると、送受信部７１は、送受信部６４２を介して該撮影指示を受信する。この場合、第四の画像処理部７５は、送受信部７１で受信した第一の取込画像と第二の取込画像とから、第四の編集画像を作成する。なお、第四の画像処理部７５は、第三の画像処理部７４よりも複雑な画像処理を行うこととする。例えば、第四の画像処理部７５で行う画像処理には、第三の画像処理部７４で行う画像処理と異なり、色調補正や逆光補正などの複雑な画像処理も含めることとしても良い。
【０１１８】
送受信部７１は、第四の画像処理部７５が作成した第四の編集画像を送信する。
【０１１９】
そして、通信端末６０２の表示部６３２は、送受信部６４２が受信した第四の編集画像を表示する。なお、第四の編集画像は、通信端末６０２のユーザのユーザ操作に基づいて、通信端末６０２の記録部に記録されることとしても良い。
【０１２０】
また、第四の編集画像は、通信端末６０１にも送信されることとしても良い。この場合、通信端末６０１の表示部６３１は、第一の編集画像を表示する状態から、一時的に、第四の編集画像を表示する状態に変わることとしても良い。
【０１２１】
以上のように、本実施形態においては、通信端末６０１と通信端末６０２からそれぞれ処理指示が送出される。そして、通信端末６０１には、通信端末６０１から送出された処理指示に基づいて作成された編集画像が送信される。一方、通信端末６０２には、通信端末６０２から送出された処理指示に基づいて作成された編集画像が送信される。そのため、通信端末６０１ユーザと通信端末６０２のユーザはそれぞれの所望の編集画像に調整することができる。
【０１２２】
なお、本実施形態における画像処理装置７０は、図６に示すように、撮影補助部７８を更に備えることとしても良い。撮影補助部７８は、通信端末６０１及び通信端末６０２に対して、撮影情報を送出する。撮影情報とは、撮影に関するアドバイス情報であり、次のようなものが挙げられる。例えば、第一の取込画像と第二の取込画像との被写体の大きさがあまりに異なる場合には、通信端末６０１（あるいは通信端末６０２）と被写体との距離をどの程度調整すれば、それぞれの取込画像の被写体の大きさが揃うかという情報を含めることとしても良い。なお、撮影補助部７８から送出された撮影情報は、送受信７１を介して、通信端末６０１、６０２に送信される。これにより、それぞれのユーザは、より効率的にベストショットを撮影することが可能となる。
【０１２３】
なお、画像処理装置７０は、通信端末６０１と通信端末６０２の間の、音声通信の中継器としての機能を備えることとしても良い。そして、撮影部６１１と撮影部６１１とによる画像の取込みは、通信端末６０１と通信端末６０２との音声通信と同時に実行されることとしても良い。
【０１２４】
また、本実施形態においては、２つの通信端末から送信された取込画像の画像を合成することとしたが、これに限らない。すなわち、３つ以上の通信端末のそれぞれから送信された取込画像を合成するように構成しても良い。
【０１２５】
また、本実施形態においては、撮影部６１１、６１２が画像の取込みを開始した後に、処理指示部６５１、６５２から処理指示が送出されることとしたが、これに限らない。すなわち、処理指示部６５１、６５２はそれぞれ、撮影部６１１、６１２が画像の取込みを開始する前に、何らかの処理指示を予め送出しておくこととしても良い。この場合、第一乃至第四の画像処理部７２〜７５はそれぞれ、予め受信した処理指示に基づいて、画像処理を開始する。
【０１２６】
また、本実施形態においても第２の実施形態と同様、画像処理装置が、画像データを記録する記録部を有することとしても良い。そして、第一乃至第四の画像処理部７２〜７５はそれぞれ、第一の取込画像と、第二の取込画像と、画像処理装置の記録部に記録された画像データと、の合成画像を作成することとしても良い。
【０１２７】
また、本実施形態における画像処理システムの用途として、次のようなものが挙げられる。すなわち、図７に示すように、それぞれ離れた場所にいる複数のユーザが、各自の携帯端末で自分撮りをした映像をリアルタイムで合成し、その合成した画像を取得することができる。複数のユーザは、画像処理装置７０から受信した第一の編集画像を確認しながら、それぞれのポーズや画角を調整した後、撮影指示を発生させる。撮影指示が発生すると、第一の編集画像よりも複雑な画像処理、例えば美肌補正などが施された第二の編集画像が作成される。これにより、複数のユーザは、自身が所望するベストショットを撮影することが可能となる。
【０１２８】
［第５の実施形態］
次に、本発明の第５の実施形態における画像処理システムについて図８を用いて説明する。
【０１２９】
本実施形態における画像処理システム５００は、通信端末１０と、通信端末１０と通信可能な画像処理装置８０と、を備える。
【０１３０】
通信端末１０は、図２（ａ）に示す通信端末１０の構成と同様の構成を備える。
【０１３１】
画像処理装置８０は、第１の実施形態における画像処理装置２０の構成に加えて、取込画像記録部８１を備える。取込画像記録部８１は、通信端末１０から送信された取込画像を一時的に記録する。
【０１３２】
次に、本実施形態における画像処理システム５００の動作について説明する。
【０１３３】
初めに、撮影部１１が画像の取込みを開始する。送受信部１３は、撮影部１１が取込んだ取込画像を、順次、画像処理装置４０に送信する。
【０１３４】
送受信部２１は、送受信部１３から送信された取込画像を受信する。取込画像記録部８１は、送受信部２１が受信した取込画像を記録する。
【０１３５】
そして、第一の画像処理部２２は、送受信部２１が受信した取込画像と、取込画像記録部８１に記録されている、所定の時間分だけ過去の取込画像とから、第一の編集画像を順次作成する。例えば、取込画像記録部８１には、過去５秒分の取込画像を記録することとする。そして、送受信部２１が受信した最新の取込画像と、取込画像記録部８１に記録された取込画像のうち、５秒前の取込画像とを合成して、第一の編集画像を作成する。
【０１３６】
なお、最新の取込画像を、どの程度の時間遡った取込画像と合成するかは、ユーザ設定によって適宜設定可能なものとしても良い。また、最新の取込画像を、過去の複数の取込画像と合成することとしても良い。
【０１３７】
また、第一の画像処理部２２で行う画像処理においては、色調補正や逆光補正、肌色補正などの複雑な画像補正処理は行なわず、画像のレイアウトが分かるために必要な画像処理に留めることとしても良い。なお、この時点では、撮影指示部１４から撮影指示は送出されていないこととする。
【０１３８】
送受信部２１は、第一の画像処理部２２で作成された第一の編集画像を送信する。
【０１３９】
通信端末１０の送受信部１３は、送受信部２１から送信された第一の編集画像を受信する。そして、表示部１２は、送受信部１３が受信した第一の編集画像を表示する。なお、送受信部１３は、第一の画像処理部２２が作成した第一の編集画像を順次受信しており、表示部１２は、送受信部１３が受信した第一の編集画像のうち、最新の第一の編集画像を表示する。
【０１４０】
そして、通信端末１０のユーザは例えば、第一の編集画像を確認しながら、撮影部１１のアングル等を調整することができる。そして、例えば、ユーザの所望の編集画像となった時点で、次に述べる撮影指示を発生させることができる。
【０１４１】
次に、撮影部１１が画像の取込みを実行している際に、通信端末１０が更に備える撮影指示部１４から撮影指示が送出された場合について述べる。
【０１４２】
撮影指示部１４から撮影指示が送出されると、送受信部２１は、送受信部１３を介して該撮影指示を受信する。この場合、第二の画像処理部２３は、送受信部２１が受信した取込画像と、取込画像記録部８１に記録されている、所定の時間分だけ過去の取込画像とから、第二の編集画像を作成する。なお、第二の画像処理部２３で行う画像処理は、第一の画像処理部２２で行う画像処理と異なり、色調補正や逆光補正、美肌補正などの複雑な画像処理も含めることとしても良い。
【０１４３】
そして、送受信部２１は、第二の画像処理部２３が作成した第二の編集画像を送信する。
【０１４４】
通信端末１０の送受信部１３は、送受信部２１から送信された第二の編集画像を受信する。表示部１２は、送受信部１３が受信した第二の編集画像を表示する。
【０１４５】
ここで、第二の編集画像は、通信端末１０のユーザのユーザ操作に基づいて、通信端末１０の記録部に記録されることとしても良い。あるいは、ユーザ操作に拠らず、自動的に、第二の編集画像が通信端末１０の記録部に記録されるよう設定されることとしても良い。
【０１４６】
以上のように、本実施形態における通信端末１０は、最新の取込画像と所定の時間分だけ過去の取込画像とを合成した画像を取得することができる。これにより、通信端末１０は、例えば次のような画像を取得するができる。
【０１４７】
例えば、最新の取込画像と、最新の取込画像から１秒前以内に取込まれた全ての取込画像とを合成するとする。この場合、合成画像には被写体が動いた軌跡があらわれることになり、例えば素早く動く物体の軌跡があらわれた画像を取得することができる。
【０１４８】
あるいは、最新の取込画像と、最新の取込画像から１０秒前に取込まれた取込画像とを合成するとする。この場合、例えば、異なるポーズをした同一の被写体が２つ写った画像を取得することができる。
【０１４９】
以上のように、本実施形態においては、取込まれた時間が異なる複数の取込画像を合成することができるので、ユーザは、撮影した画像を様々な方法で楽しむことができる。
【０１５０】
なお、第１の実施形態乃至第５の実施形態は、各実施形態の機能を実現するソフトウェアのプログラムコードを記録した記録媒体を通信端末に供給し、その通信端末のコンピュータが記録媒体に格納されたプログラムコードを読み出し実行することによっても、達成されることは言うまでもない。
【０１５１】
なお、プログラムを供給する記録媒体としては、例えば、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、光ディスク、磁気ディスク、不揮発性メモリカードなど、上記プログラムを記憶できるものであれば良い。
【０１５２】
上記の実施形態の一部又は全部は、以下の付記のようにも記載されうるが、以下には限られない。
【０１５３】
（付記１）第一の通信端末と、前記第一の通信端末と通信可能な画像処理装置と、を備え、前記第一の通信端末は、画像を取込む第一の撮影部と、第一の表示部と、第一の送受信部と、を有し、前記画像処理装置は、前記第一の送受信部との間で所定の情報を送受信可能な第二の送受信部と、前記第一の撮影部が取込んだ第一の取込画像から第一の編集画像を作成する第一の画像処理部と、第一の撮影指示に基づいて、前記第一の取込画像から第二の編集画像を作成する第二の画像処理部と、を有し、前記第一の表示部は、前記第一の編集画像と前記第二の編集画像を表示することを特徴とする、画像処理システム。
【０１５４】
（付記２）前記第一の通信端末は、前記第一の撮影指示を送出する第一の撮影指示部を備えることを特徴とする、付記１に記載の画像処理システム。
【０１５５】
（付記３）前記画像処理装置は、前記第一の取込画像が所定の条件を満たした場合、前記第一の撮影指示を発生する第一の撮影指示部を備えることを特徴とする、付記１に記載の画像処理システム。
【０１５６】
（付記４）前記第一の通信端末は更に、第一の処理指示を送出する第一の処理指示部を有し、前記第一の画像処理部は、前記第一の処理指示に基づいて、前記第一の編集画像を作成し、前記第二の画像処理部は、前記第一の処理指示に基づいて、前記第二の編集画像を作成することを特徴とする、付記１乃至３のいずれか一つに記載の画像処理システム。
【０１５７】
（付記５）前記画像処理装置は更に、画像データを記録する記録部を有し、前記第一の画像処理部は、前記第一の取込画像と前記画像データとから、前記第一の編集画像を作成し、前記第二の画像処理部は、前記第一の取込画像と前記画像データとから、前記第二の編集画像を作成することを特徴とする、付記１乃至４のいずれか一つに記載の画像処理システム。
【０１５８】
（付記６）前記画像処理装置と通信可能な第二の通信端末を更に備え、前記第二の通信端末は、画像を取込む第二の撮影部と、前記第二の送受信部との間で所定の情報を送受信可能な第三の送受信部と、を有し、前記第一の画像処理部は、前記第一の取込画像と前記第二の取込画像とから、前記第一の編集画像を作成し、前記第二の画像処理部は、前記第一の取込画像と前記第二の取込画像とから、前記第二の編集画像を作成することを特徴とする、付記１乃至５のいずれか一つに記載の画像処理システム。
【０１５９】
（付記７）前記第二の通信端末は更に、第二の表示部を有し、前記第二の表示部は、前記第一の編集画像を表示することを特徴とする、付記６に記載の画像処理システム。
【０１６０】
（付記８）前記第二の通信端末は更に、第二の撮影指示を送出する第二の撮影指示部と、第二の表示部と、を有し、前記画像処理装置は、前記第一の取込画像と前記第二の取込画像とから、第三の編集画像を作成する第三の画像処理部と、前記第二の撮影指示に基づいて、前記第一の取込画像と前記第二の取込画像とから第四の編集画像を作成する第四の画像処理部と、を更に有し、前記第二の表示部は、前記第三の編集画像及び前記第四の編集画像を表示することを特徴とする、付記６に記載の画像処理システム。
【０１６１】
（付記９）前記第二の通信端末は更に、第二の処理指示を送出する第二の処理指示部を有し、前記第三の画像処理部は、前記第二の処理指示に基づいて、前記第三の編集画像を作成し、前記第四の画像処理部は、前記第二の処理指示に基づいて、前記第四の編集画像を作成することを特徴とする、付記８に記載の画像処理システム。
【０１６２】
（付記１０）前記画像処理装置は更に、所定の時間分だけ過去の前記第一の取込画像を記録する取込画像記録部を備え、前記第一の画像処理部は、最新の前記第一の取込画像と、前記所定の時間分だけ過去の前記第一の取込画像とから、前記第一の編集画像を作成し、前記第二の画像処理部は、最新の前記第一の取込画像と、前記所定の時間分だけ過去の前記第一の取込画像とから、前記第二の編集画像を作成することを特徴とする、付記１乃至４のいずれか一つに記載の画像処理システム。
【０１６３】
（付記１１）第一の通信端末と通信可能な画像処理装置において、前記第一の通信端末と所定の情報を送受信する送受信部と、前記第一の通信端末から受信した第一の取込画像から、第一の編集画像を作成する第一の画像処理部と、第一の撮影指示に基づいて、前記第一の取込画像から第二の編集画像を作成する第二の画像処理部と、を備え、前記送受信部は、前記第一の編集画像と前記第二の編集画像とを送信することを特徴とする、画像処理装置。
【０１６４】
（付記１２）前記第一の撮影指示は、前記第一の通信端末から受信することを特徴とする、付記１１に記載の画像処理装置。
【０１６５】
（付記１３）前記第一の取込画像が所定の条件を満たした場合、前記第一の撮影指示を発生する第一の撮影指示部を更に備えることを特徴とする、付記１１に記載の画像処理装置。
【０１６６】
（付記１４）前記第一の画像処理部は、前記第一の通信端末から受信する第一の処理指示に基づいて、前記第一の編集画像を作成し、前記第二の画像処理部は、前記第一の処理指示に基づいて、前記第二の編集画像を作成することを特徴とする、付記１１乃至１３のいずれか一項に記載の画像処理装置。
【０１６７】
（付記１５）前記画像処理装置は更に、画像データを記録する記録部を有し、前記第一の画像処理部は、前記第一の取込画像と前記画像データとから、前記第一の編集画像を作成し、前記第二の画像処理部は、前記第一の取込画像と前記画像データとから、前記第二の編集画像を作成することを特徴とする、付記１１乃至１４のいずれか一項に記載の画像処理装置。
【０１６８】
（付記１６）前記送受信部は、第二の通信端末と所定の情報を送受信し、前記第一の画像処理部は、前記第一の取込画像と、前記第二の通信端末から受信した第二の取込画像とから、前記第一の編集画像を作成し、前記第二の画像処理部は、前記第一の取込画像と前記第二の取込画像とから、前記第二の編集画像を作成することを特徴とする、付記１１乃至１５のいずれか一つに記載の画像処理装置。
【０１６９】
（付記１７）前記第一の取込画像と前記第二の取込画像とから、第三の編集画像を作成する第三の画像処理部と、前記第二の通信端末から受信する前記第二の撮影指示に基づいて、前記第一の取込画像と前記第二の取込画像とから第四の編集画像を作成する第四の画像処理部と、を更に有し、前記送受信部は、前記第三の編集画像と前記第四の編集画像とを前記第二の通信端末に送信することを特徴とする、付記１６に記載の画像処理装置。
【０１７０】
（付記１８）前記第三の画像処理部は、前記第二の通信端末から受信する第二の処理指示に基づいて、前記第三の編集画像を作成し、前記第四の画像処理部は、前記第二の処理指示に基づいて、前記第四の編集画像を作成することを特徴とする、付記１７に記載の画像処理装置。
【０１７１】
（付記１９）所定の時間分だけ過去の前記第一の取込画像を記録する取込画像記録部を更に備え、前記第一の画像処理部は、最新の前記第一の取込画像と、前記所定の時間分だけ過去の前記第一の取込画像とから、前記第一の編集画像を作成し、前記第二の画像処理部は、最新の前記第一の取込画像と、前記所定の時間分だけ過去の前記第一の取込画像とから、前記第二の編集画像を作成することを特徴とする、付記１１乃至１４のいずれか一つに記載の画像処理装置。
【０１７２】
（付記２０）第一の通信端末から第一の取込画像を受信する工程と、前記第一の取込画像から第一の編集画像を作成する第一の画像処理工程と、第一の撮影指示に基づいて、前記第一の取込画像から第二の編集画像を作成する第二の画像処理工程と、前記第一の編集画像と前記第二の編集画像とを送信する工程と、を備えることを特徴とする、画像処理方法。
【０１７３】
（付記２１）前記第一の通信端末から前記第一の撮影指示を受信する工程を更に備えることを特徴とする、付記２０に記載の画像処理方法。
【０１７４】
（付記２２）前記第一の取込画像が所定の条件を満たした場合、前記第一の撮影指示を発生する工程を更に備えることを特徴とする、付記２０に記載の画像処理方法。
【０１７５】
（付記２３）前記第一の通信端末から第一の処理指示を受信する工程を更に備え、前記第一の画像処理工程においては、前記第一の処理指示に基づいて、前記第一の編集画像を作成し、前記第二の画像処理工程においては、前記第一の処理指示に基づいて、前記第二の編集画像を作成することを特徴とする、付記２０乃至２２のいずれか一つに記載の画像処理方法。
【０１７６】
（付記２４）画像データを記録する工程を更に備え、前記第一の画像処理工程においては、前記第一の取込画像と前記画像データとから、前記第一の編集画像を作成し、前記第二の画像処理工程においては、前記第一の取込画像と前記画像データとから、前記第二の編集画像を作成することを特徴とする、付記２０乃至２３のいずれか一つに記載の画像処理方法。
【０１７７】
（付記２５）第二の通信端末から第二の取込画像を受信する工程を更に備え、前記第一の画像処理工程においては、前記第一の取込画像と、前記第二の取込画像とから、前記第一の編集画像を作成し、前記第二の画像処理工程においては、前記第一の取込画像と、前記第二の取込画像とから、前記第二の編集画像を作成することを特徴とする、付記２０乃至２４のいずれか一つに記載の画像処理方法。
【０１７８】
（付記２６）前記第一の取込画像と前記第二の取込画像とから、第三の編集画像を作成する第三の画像処理工程と、前記第二の通信端末から第二の撮影指示を受信する工程と、前記第二の撮影指示に基づいて、前記第一の取込画像と前記第二の取込画像とから、第四の編集画像を作成する第四の画像処理工程と、を更に備えることを特徴とする、付記２５に記載の画像処理方法。
【０１７９】
（付記２７）前記第二の通信端末から第二の処理指示を受信する工程を更に備え、前記第三の画像処理工程においては、前記第二の処理指示に基づいて、前記第三の編集画像を作成し、前記第四の画像処理工程においては、前記第二の処理指示に基づいて、前記第四の編集画像を作成することを特徴とする、付記２６に記載の画像処理方法。
【０１８０】
（付記２８）所定の時間分だけ過去の前記第一の取込画像を記録する工程を更に備え、前記第一の画像処理部は、最新の前記第一の取込画像と、前記所定の時間分だけ過去の前記第一の取込画像とから、前記第一の編集画像を作成し、前記第二の画像処理部は、最新の前記第一の取込画像と、前記所定の時間分だけ過去の前記第一の取込画像とから、前記第二の編集画像を作成することを特徴とする、付記２０乃至２３のいずれか一つに記載の画像処理方法。
【０１８１】
（付記２９）第一の通信端末から第一の取込画像を受信する工程と、前記第一の取込画像から第一の編集画像を作成する第一の画像処理工程と、第一の撮影指示に基づいて、前記第一の取込画像から第二の編集画像を作成する第二の画像処理工程と、前記第一の編集画像と前記第二の編集画像とを送信する工程と、をコンピュータに実行させることを特徴とする、画像処理プログラム。
【０１８２】
（付記３０）前記第一の通信端末から前記第一の撮影指示を受信する工程を、更にコンピュータに実行させることを特徴とする、付記２９に記載の画像処理プログラム。
【０１８３】
（付記３１）前記第一の取込画像が所定の条件を満たした場合、前記第一の撮影指示を発生する工程を、更にコンピュータに実行させることを特徴とする、付記２９に記載の画像処理プログラム。
【０１８４】
（付記３２）前記第一の通信端末から第一の処理指示を受信する工程を更にコンピュータに実行させ、前記第一の画像処理工程においては、前記第一の処理指示に基づいて、前記第一の編集画像を作成し、前記第二の画像処理工程においては、前記第一の処理指示に基づいて、前記第二の編集画像を作成することを特徴とする、付記２９乃至３１のいずれか一つに記載の画像処理プログラム。
【０１８５】
（付記３３）画像データを記録する工程を更にコンピュータに実行させ、前記第一の画像処理工程においては、前記第一の取込画像と前記画像データとから、前記第一の編集画像を作成し、前記第二の画像処理工程においては、前記第一の取込画像と前記画像データとから、前記第二の編集画像を作成することを特徴とする、付記２９乃至３２のいずれか一つに記載の画像処理プログラム。
【０１８６】
（付記３４）第二の通信端末から第二の取込画像を受信する工程を更にコンピュータに実行させ、前記第一の画像処理工程においては、前記第一の取込画像と、前記第二の取込画像とから、前記第一の編集画像を作成し、前記第二の画像処理工程においては、前記第一の取込画像と、前記第二の取込画像とから、前記第二の編集画像を作成することを特徴とする、付記２９乃至３３のいずれか一つに記載の画像処理プログラム。
【０１８７】
（付記３５）前記第一の取込画像と前記第二の取込画像とから、第三の編集画像を作成する第三の画像処理工程と、前記第二の通信端末から第二の撮影指示を受信する工程と、前記第二の撮影指示に基づいて、前記第一の取込画像と前記第二の取込画像とから、第四の編集画像を作成する第四の画像処理工程と、を更にコンピュータに実行させることを特徴とする、付記３４に記載の画像処理プログラム。
【０１８８】
（付記３６）前記第二の通信端末から第二の処理指示を受信する工程を更にコンピュータに実行させ、前記第三の画像処理工程においては、前記第二の処理指示に基づいて、前記第三の編集画像を作成し、前記第四の画像処理工程においては、前記第二の処理指示に基づいて、前記第四の編集画像を作成することを特徴とする、付記３５に記載の画像処理プログラム。
【０１８９】
（付記３７）所定の時間分だけ過去の前記第一の取込画像を記録する工程を更にコンピュータに実行させ、前記第一の画像処理部は、最新の前記第一の取込画像と、前記所定の時間分だけ過去の前記第一の取込画像とから、前記第一の編集画像を作成し、前記第二の画像処理部は、最新の前記第一の取込画像と、前記所定の時間分だけ過去の前記第一の取込画像とから、前記第二の編集画像を作成することを特徴とする、付記２９乃至３２のいずれか一つに記載の画像処理プログラム。
【０１９０】
（付記３８）付記２９乃至３７のいずれか一つに記載の画像処理プログラムを記録する記録媒体。
【符号の説明】
【０１９１】
１０、３０、５０、６０１、６０２  通信端末
１１、５１、６１１、６１２  撮影部
１４、２４、６２１、６２２  撮影指示部
１２、５３、６３１、６３２  表示部
１３、２１、５２、６４１、６４２、７１  送受信部
２０、４０、７０、８０  画像処理装置
２２、７２  第一の画像処理部
２３、７３  第二の画像処理部
３１、６５１、６５２  処理指示部
４１  画像データ記録部
４２  処理条件記録部
７４  第三の画像処理部
７５  第四の画像処理部
７６  第一の処理条件記録部
７７  第二の処理条件記録部
７８  撮影補助部
８１  取込画像記録部
【図１】
0005874887.tif 000002
【図２】
0005874887.tif 000003
【図３】
0005874887.tif 000004
【図４】
0005874887.tif 000005
【図５】
0005874887.tif 000006
【図６】
0005874887.tif 000007
【図７】
0005874887.tif 000008
【図８】
0005874887.tif 000009